(57)【要約】      （修正有）【課題】ネットワークを介する光信号の信頼性を更に多く与えるブロードキャスト技法をサポートする光リングネットワークを提供する。【解決手段】光ネットワークはアクセスリング、ローカルリング、第1及び第２ゲートウエーを含む。第1のゲートウエーはアクセスリングで伝送されるブロードキャストトラフィックを受信し、受信したブロードキャストトラフィックのコピーをアクセスリングに転送する。第1のゲートウエーはアクセスリングで受信したブロードキャストトラフィックのコピーをローカルリングで転送する。第２のゲートウエーはローカルリング上のローカルトラフィックを受信し、ローカルトラフィックをアクセスリングに転送する。第２のゲートウエーは第1のゲートウエーによりローカルリングに転送されたブロードキャストトラフィックをローカルリングから受信し、ローカルリングから受信したブロードキャストトラフィックを終端する。【選択図】図１Ａ
2006148922.tif 000002
【特許請求の範囲】
【請求項１】
複数のゲートウエーを接続し、前記ゲートウエーに及び前記ゲートウエーから光信号を伝送するアクセスリングであって、前記光信号は複数の波長より成り、複数の波長の各波長はトラフィックを伝送するのに使用可能であるところのアクセスリング；及び
１以上の付加及び除去ノード（ＡＤＮ）を結合し、前記ＡＤＮに及び前記ＡＤＮから光信号を伝送するローカルリング；
を有する光ネットワークであって、前記１以上のＡＤＮは前記ローカルリングへ及び前記ローカルリングからトラフィックを１以上の波長で付加及び除去し；
第1のゲートウエーが：
前記アクセスリングで伝送される前記光信号の１以上の波長で伝送されたブロードキャストトラフィックを前記アクセスリングで受信し；
前記アクセスリングで受信した前記ブロードキャストトラフィックの第1の複製を前記アクセスリングで転送し；及び
前記アクセスリングで受信した前記ブロードキャストトラフィックの第２の複製を前記ローカルリングで転送し；並びに
第２のゲートウエーが：
前記ローカルリング上の１以上のＡＤＮから発するローカルトラフィックを受信し；
前記ローカルトラフィックを前記アクセスリングに転送し；
前記第1のゲートウエーにより前記ローカルリングに転送されたブロードキャストトラフィックを前記ローカルリングから受信し；及び
前記ローカルリングから受信した前記ブロードキャストトラフィックを終端する；
ことを特徴とする光ネットワーク。
【請求項２】
前記第２のゲートウエーが：
前記ローカルリングで受信した前記ローカルトラフィックを前記アクセスリングで受信した前記光信号に付加すること；及び
前記ローカルトラフィックを含む前記光信号を前記アクセスリングの別のゲートウエーに転送すること；
によって、前記ローカルリングで受信した前記ローカルトラフィックを前記アクセスリングに転送し、前記アクセスリングで受信した前記光信号は前記ローカルトラフィック中の異なる波長で送信されたトラフィックより成る
ことを特徴とする請求項１記載の光ネットワーク。
【請求項３】
前記第1のゲートウエーが、前記アクセスリングに結合された第1の光カプラから構成され、前記第1の光カプラは：
前記アクセスリングで受信した光信号を前記光信号の第1コピー及び前記光信号の第２コピーに分割し、
前記光信号の前記第1コピーを前記アクセスリングで転送し；
前記光信号の前記第２コピーを前記ローカルリングに結合された波長遮断器に転送し；
前記光信号は前記光信号の１以上の波長でブロードキャストトラフィックを構成し；
前記波長遮断器は：
前記第1の光カプラから前記光信号の前記第２コピーを受信し；
前記ローカルリングにブロードキャストされない１以上の波長の第２コピーのトラフィックを終端し；及び
１以上の終端されない波長のトラフィックを前記ローカルリングに転送する；
ことを特徴とする請求項１記載の光ネットワーク。
【請求項４】
複数のゲートウエーを接続し、前記ゲートウエーに及び前記ゲートウエーから光信号を伝送するアクセスリングであって、前記光信号は複数の波長より成り、複数の波長の各波長はトラフィックを伝送するのに使用可能であるところのアクセスリング；及び
１以上の付加及び除去ノード（ＡＤＮ）を結合し、前記ＡＤＮの間で光信号を伝送するローカルリング；
を有する光ネットワークであって、前記１以上のＡＤＮは前記光リングへ及び前記光リングからトラフィックを１以上の波長で付加及び除去し；
少なくとも１つのゲートウエーが：
前記アクセスリングで伝送される前記光信号の１以上の波長で伝送されたブロードキャストトラフィックを前記アクセスリングで受信し；
前記アクセスリングで受信した前記ブロードキャストトラフィックの第1の複製を前記アクセスリングで転送し；
前記アクセスリングで受信した前記ブロードキャストトラフィックの第２の複製を前記ローカルリングで転送し；
前記ローカルリング上の１以上のＡＤＮから発するローカルトラフィックを受信し；
前記ローカルトラフィックを前記アクセスリングに転送し；
前記少なくとも１つのゲートウエーにより前記ローカルリングに転送されたブロードキャストトラフィックを前記ローカルリングから受信し；及び
前記ローカルリングから受信した前記ブロードキャストトラフィックを終端する；
ことを特徴とする光ネットワーク。
【請求項５】
前記少なくとも１つのゲートウエーが：
前記ローカルリングで受信した前記ローカルトラフィックを前記アクセスリングで受信した前記光信号に付加すること；及び
前記ローカルトラフィックを含む前記光信号を前記アクセスリングに転送すること；
によって、受信した前記ローカルトラフィックを前記アクセスリングに転送し、前記アクセスリングで受信した前記光信号は前記ローカルトラフィック中の異なる波長で送信されたトラフィックより成る
ことを特徴とする請求項４記載の光ネットワーク。
【請求項６】
前記少なくとも１つのゲートウエーが、前記アクセスリングに結合された第1の光カプラから構成され、前記第1の光カプラは：
前記アクセスリングで受信した光信号を前記光信号の第1コピー及び前記光信号の第２コピーに分割し、
前記光信号の前記第1コピーを前記アクセスリングで転送し；
前記光信号の前記第２コピーを前記ローカルリングに結合された波長遮断器に転送し；
前記光信号は前記光信号の１以上の波長でブロードキャストトラフィックを構成し；
前記波長遮断器は：
前記第1の光カプラから前記光信号の前記第２コピーを受信し；
前記ローカルリングにブロードキャストされない１以上の波長の第２コピーのトラフィックを終端し；及び
１以上の終端されない波長のトラフィックを前記ローカルリングに転送する；
ことを特徴とする請求項４記載の光ネットワーク。
【請求項７】
第1の光カプラより成る光通信装置であって、前記第1の光カプラは：
前記アクセスリングで光信号を受信し；
前記アクセスリングで受信した光信号を前記光信号の第1コピー及び前記光信号の第２コピーに分割し；
前記光信号の前記第1コピーを前記アクセスリングで転送し；
前記光信号の前記第２コピーを波長遮断器に転送し；
前記光信号は複数の波長より成り、複数の波長の各々はトラフィックを伝送可能であり；
前記光信号は前記光信号の１以上の波長でブロードキャストトラフィックを構成し；
前記波長遮断器は：
前記第1の光カプラから前記光信号の前記第２コピーを受信し；
前記ローカルリングにブロードキャストされない１以上の波長の第２コピーのトラフィックを終端し；及び
１以上の終端されない波長のトラフィックを前記ローカルリングに転送する；
ことを特徴とする光通信装置。
【請求項８】
更に第２の光カプラから構成され、前記第２の光カプラは：
前記ローカルリングで受信した前記ローカルトラフィックを前記波長遮断器から受信した光信号と合成し；及び
合成した光信号を前記アクセスリングで転送する
ことを特徴とする請求項７記載の光通信装置。
【請求項９】
前記波長遮断器が：
前記光信号の前記第２コピーを複数の構成成分波長に分離する光デマルチプレクサ；
複数の光スイッチであって、前記複数の光スイッチは前記第２コピーの構成成分波長を受信し、特定の構成成分波長を選択的に終端するところの複数の光スイッチ；及び
１以上の終端されていない構成成分波長の前記複数の光スイッチによる出力を合成する光マルチプレクサ；
から構成されることを特徴とする請求項７記載の光通信装置。
【請求項１０】
前記アクセスリングで光信号を受信するステップであって、前記光信号は複数の波長より成り、複数の波長の各々はトラフィックを搬送可能であり、ブロードキャストトラフィックは複数の波長の１以上で伝送されるところのステップ；
前記アクセスリングで受信した前記ブロードキャストトラフィックの第1の複製を前記アクセスリングで転送するステップ；
前記アクセスリングで受信した前記ブロードキャストトラフィックの第２の複製を前記ローカルリングで転送し；
前記ローカルリング上の１以上の付加及び除去ノード（ＡＤＮ）から発するローカルトラフィックを受信するステップ；
前記ローカルトラフィックを前記アクセスリングに転送するステップ；
前記ローカルリングに転送されたブロードキャストトラフィックを前記ローカルリングから受信するステップ；及び
前記ローカルリングから受信した前記ブロードキャストトラフィックを終端するステップ；
を有することを特徴とする光通信方法。
【発明の詳細な説明】
【技術分野】
【０００１】
本発明は一般に光伝送システムに関連し、特に複数の光リング間で信号をブロードキャストすることに関連する。
【背景技術】
【０００２】
遠距離通信システム、ケーブルテレビジョンシステム及びデータ通信ネットワークは遠く離れた地点間で大量の情報を速やかに搬送するために光ネットワークを使用する。光ネットワークでは情報は光ファイバにより光信号の形式で搬送される。光ファイバは長距離にわたって非常に低損失で信号を伝送することができる細いガラス線から構成される。
【０００３】
光ネットワークは伝送容量を増やすために波長分割多重化（ＷＤＭ）や高密度光分割多重化（ＤＷＤＭ）をしばしば利用する。ＷＤＭ及びＤＷＤＭネットワークでは多数の光チャネルが異なる波長で各ファイバ内で伝送される。ネットワーク容量は、各ファイバ中の波長数やチャネル、そしてチャネルの帯域やサイズに基づく。
【０００４】
ＷＤＭ及びＤＷＤＭネットワークを構築するトポロジはそのようなネットワークが使用される広がりを決定する際に重要な役割を演じる。リングトポロジは今日のネットワークで一般的である。ＷＤＭ分岐挿入装置はそのような光リング周辺のネットワーク要素として機能する。各ネットワーク要素にてＷＤＭ分岐挿入装置を使用することで、一そろいの全信号成分がその構成成分チャネルに完全に分離され、切り換えられる（付加され／除去され又は通される）。
【０００５】
更にそのような光ネットワーク内で分岐挿入装置を使用することは、単一の送信でトラフィックを複数の宛先にブロードキャストすることを可能にする。しかしながら光ネットワークで欠陥その他の障害が生じると、その障害より下流の全てのネットワーク要素はブロードキャストトラフィックを受信しなくなってしまう。ブロードキャスト伝送が複数の相互接続された光ネットワークを介して伝搬する場合には、素子品質及び動作パラメータの変動はかなりの不確定性を伝送にもたらすので、誤り障害トラフィックの可能性が増えるだけである。ブロードキャスト伝送は多くの宛先に同時に情報を通知する効果的な技法を提供するが、そのような伝送は障害に対して一層脆弱になってしまうおそれがある。
【発明の開示】
【発明が解決しようとする課題】
【０００６】
本発明の課題は、ネットワークを介する光信号の信頼性を更に多く与えるブロードキャスト技法をサポートする素子を有する光リングネットワークを提供することである。
【課題を解決するための手段】
【０００７】
本発明の特定の形態によれば、光ネットワークはアクセスリング、ローカルリング、１以上の分岐挿入ノード（ＡＤＮ）、第1ゲートウエー及び第２ゲートウエーを含む。アクセスリングは複数のゲートウエーを接続し、ゲートウエーに及びそこから光信号を伝送し、光信号は複数の波長より成り、その各波長はトラフィックを伝送可能である。ローカルリングは１以上のＡＤＮを結合し、ＡＤＮに及びそこから光信号を伝送する。更にＡＤＮはローカルリングへ及びそこからトラフィックを１以上の波長で挿入及び分岐させる。
【０００８】
第1のゲートウエーはアクセスリングで伝送される光信号の１以上の波長で伝送されたブロードキャストトラフィックを前記アクセスリングで受信すること、及びアクセスリングで受信したブロードキャストトラフィックの第1コピーをアクセスリングで転送することができる。第1のゲートウエーはアクセスリングで受信したブロードキャストトラフィックの第２コピーをローカルリングで転送する。
【０００９】
第２のゲートウエーはローカルリング上の１以上のＡＤＮから発するローカルトラフィックを受信すること、及びローカルトラフィックをアクセスリングに転送することができる。第２のゲートウエーは第1のゲートウエーによりローカルリングに転送されたブロードキャストトラフィックをローカルリングから受信し、ローカルリングから受信したブロードキャストトラフィックを終端することができる。
【発明を実施するための最良の形態】
【００１０】
本発明の１以上の形態による技術的利点は、ブロードキャスト伝送技法をサポートする改善された光リングネットワークを提供することを含む。特定の形態ではこのネットワークによりサポートされる通信技法はネットワークでブロードキャストする情報の信頼性を更に多く与える。一形態による別の技術的利点は相当大きな物理的領域にわたるネットワークで伝搬時間を短くすることである。
【００１１】
本発明の様々な形態は上述の技術的利点の全部又は一部を含んでもよいし、全く含まなくてもよいことが理解されるであろう。更に本発明の他の技術的利点は詳細な説明、図面及び特許請求の範囲から当業者に更に明白になるであろう。
【実施例１】
【００１２】
図１Ａは本発明の一実施例による光ネットワーク１０を示す。一例のネットワーク１０はアクセスリング２０及び複数のローカルリング３０を含む。ネットワーク１０は、アクセスリング２０及びローカルリング３０に結合されたクライアント装置へのデータ通信をサポートする。特定の実施例ではローカルリング３０はアクセスリングのサブテンドネットワーク(subtended  network)を表現してもよい。ネットワーク１０は１以上のローカルリング３０をアクセスリング２０に又は他のローカルリング３０に接続できる１以上のゲートウエー１４を含む。ネットワーク１０はネットワーク１０の至る所に設けられた複数の分岐挿入ノード（ＡＮＤ）１２も含み、そのノードの各々はＡＮＤに結合される１以上のクライアント装置間の通信を支援する。ゲートウエー１４もこの機能を支援してよい。ある実施例のゲートウエー１４は選択されたトラフィックについて拡張されたブロードキャスト技法をサポートするように構成されるので、ネットワーク１０の隅々にトラフィックを広範にブロードキャストするために１つの波長が使用されるならば、そのようなゲートウエー１４は更に高い伝送効率を与える。更にこれらのブロードキャスト技法を使用する特定の実施例のネットワーク１０はネットワーク１０で信頼性のより高い情報通信を行うかもしれない。
【００１３】
ネットワーク１０は光ネットワークでありその光ネットワークでは多数の光チャネルが別々の波長／チャネルで共通の経路（パス）で伝搬される。ネットワーク１０は波長分割多重化（ＷＤＭ）、高密度波長分割多重化（ＤＷＤＭ）又は他の適切なマルチチャネルのネットワークでもよい。光情報信号はアクセスリング２０及びローカルリング３０で光トラフィックとして伝送されてもよい。ここで使用されるような「トラフィック」はネットワーク内で伝送され、格納され又は分類される如何なる情報をも含み、特定の実施例のネットワークでサポートされるサービスの如何なるリクエストをも含む。この光トラフィックは音声の、映像の、テキストの、リアルタイムの、非リアルタイムの及び／又は他の適切なデータをエンコードするように変調された少なくとも１つの属性を有する。変調は位相シフトキーイング（ＰＳＫ）、強度変調（ＩＭ）又は他の適切な手法に基づいてもよい。更に光ネットワーク１０で伝送されるトラフィックは適切な如何なる手法でもそれで構築されてよく、その手法はフレーム、パケット又は非組織化ビットストリームのような構造を含むがそれらに限定されない。
【００１４】
アクセスリング２０及びローカルリング３０はネットワーク１０の素子により送信された光信号を伝送することができる１以上のファイバを含む。アクセスリング２０及びローカルリング３０はそれぞれ１本の単方向ファイバ；１本の双方向ファイバ；又は単一若しくは双方向のファイバ複数本を適切に含む。図示の例ではアクセスリング２０及びローカルリング３０の双方は所定の方向にトラフィックを伝送するように構成された単方向のファイバを表す。本説明は簡明化のために単方向トラフィックをサポートするネットワーク１０の例に着目しているが、本発明は更に双方向システムも想定しており、双方向システムはリング２０，３０の周りに対向する方向でのトラフィック伝送をサポートするように適切に修正された素子の例を含む（後述）。例えばアクセスリング２０及びローカルリング３０の各々は一対の単方向ファイバを有し、時計回りのトラフィック伝送をサポートする第1ファイバ及び反時計回りのトラフィック伝送をサポートする第２ファイバを含む。
【００１５】
ＡＮＤ１２各々はアクセスリング２０及びローカルリング３０にトラフィックを付加（挿入）する及びそこからトラフィックを除去する（分ける）。特にＡＤＮ１２各々はローカルクライアントからトラフィックを受信し、そのトラフィックをアクセスリング２０に又は特定のローカルリング３０に付加する。それと共に各ＡＤＮ１２はアクセスリング２０又はローカルリング３０からトラフィックを受信し、そのローカルクライアント宛のトラフィックを落とす(drop)。本説明に関し、ＡＤＮ１２は、ＡＤＮ１２又はゲートウエー１４に結合された適切な如何なる素子でもそれにトラフィックの複製(コピー)を伝送することによってトラフィックを「ドロップ(drop)」てもよい。その結果、各ＡＤＮ１２は、そのＡＤＮ１２に結合された素子にトラフィックを伝送する一方、アクセスリング２０又はローカルトラフィック３０の下流の素子にトラフィック伝送を継続可能にすることで、アクセスリング２０又はローカルリング３０からトラフィックを落としてもよい。更に明細書及び特許請求の範囲で使用されるように、「各々」なる語は指定された項目の少なくとも１つの部分集合の１つ１つ全てを意味する。トラフィックを付加及びドロップすることに加えて、ＡＤＮ１２は、アクセスリング２０及びローカルリング３０で伝送するためにクライアントからのデータを合成してもよいし、アクセスリング２０及びローカルリング３０からのデータチャネルをクライアントのために落としてもよい。ローカルクライアントへの伝送にトラフィックを利用可能にすることで、トラフィックが落とされてもよい。特定の実施例のＡＤＮ１２の内容は以下の図５に関連して詳細に説明される。
【００１６】
ゲートウエー１４はローカルクライアントへ及びそこから適切なトラフィックをルーティングすることを支援する。特にゲートウエー１４はローカルリング３０への所定のトラフィックをアクセスリング２０から又は他のローカルリング３０から転送し、及びローカルリング３０からの所定のトラフィックをアクセスリング２０へ又は他のローカルリング３０へ付加する。ゲートウエー１４はアクセスリング２０からローカルリング３０へトラフィックを無差別に転送してもよいし、或いは波長、宛先又は選択されたトラフィックの他の適切な如何なる属性でもそれに基づいて所定のトラフィックのみをローカルリング３０に伝送するように構築されてもよい。同様にゲートウエー１４はローカルリング３０からのトラフィックをアクセスリング２０に分け隔てなく付加してもよいし、或いは波長、宛先又は選択されたトラフィックの他の適切な如何なる属性でもそれに基づいて所定のトラフィックのみをアクセスリング２０に伝送するように構築されてもよい。例えば特定の実施例では所定のトラフィックはブロードキャストトラフィックとして指定され、適切なゲートウエー１４はそのようなブロードキャストトラフィックをローカルリング３０に転送する一方、適切なゲートウエー１４はそのトラフィックがローカルリング３０を出るのでブロードキャストトラフィックを終端する。
【００１７】
特定のローカルリング３０の構成に依存して、第1のゲートウエー１４がアクセスリング２０からローカルリング３０へトラフィックを転送するように構成される一方、別のゲートウエー１４がそのローカルリング３０からのトラフィックをアクセスリング２０に付加するように構築されてもよい。例えば図１Ａのゲートウエー１４ｘは適切なトラフィックをローカルリング３０ｘに転送するように構成され、ゲートウエー１４ｙはローカルリング３０ｘからの適切なトラフィックをアクセスリング２０に付加するように構成される。図２Ａ，３はそのようなゲートウエー１４の特定の実施例の内容を詳細に説明し、図６はそれらの動作を示す。
【００１８】
これに対して、ローカルリング３０の代替構成例では、１つのゲートウエー１４がそのローカルリング３０への特定の方向のトラフィックを転送すること及び同一方向のトラフィックをローカルリング３０からアクセスリング２０へ付加することの双方を行ってもよい。例えば図１Ａのゲートウエー１４ｚはアクセスリング２０からローカルリング３０ｚへトラフィックを転送すること及びローカルリング３０ｚからのトラフィックをアクセスリング２０へ付加することの双方を行う。図４はそのようなゲートウエー１４の特定の実施例の内容を詳細に示し、図７はその動作を示す。
【００１９】
更にローカルリング３０に及びそこからトラフィックを付加及び転送することに加えて、ゲートウエー１４はゲートウエー１４に結合されたローカルクライアントのためにトラフィックを付加及びドロップするように構築されてもよい。ゲートウエー１４は、アクセスリング２０で伝送するためにローカルクライアントからのデータを合成し、アクセスリング２０からのデータチャネルをローカルクライアントにドロップしてもよい。ゲートウエー１４はローカルクライアントへの伝送用にトラフィックを利用可能にすることでトラフィックをドロップしてもよい。ＡＤＮ１２のように、特定のゲートウエー１４は、そのゲートウエー１４に結合された適切な如何なる素子にもトラフィックの複製を送信することでトラフィックを「ドロップ」してもよい。その結果、特定のゲートウエー１４は、ゲートウエー１４に結合された素子にトラフィックを転送し、アクセスリング２０の下流素子にトラフィック伝送を継続可能にすることによってアクセスリング２０からトラフィックをドロップしてもよい。従ってＡＤＮ１２のようにゲートウエー１４はトラフィックを落とすが、そのトラフィックがアクセスリング２０で依然として巡回し続けるようにしてもよい。
【００２０】
動作中にアクセスリング２０及びローカルリング３０はネットワーク１０上のクライアント装置及び他の素子から送信されたトラフィックを伝送する。アクセスリング２０上のトラフィックはゲートウエー１４を横切るので、ゲートウエー１４はそのゲートウエー１４に結合されたローカルリング３０にトラフィックを転送してもよい。ゲートウエー１４はアクセスリング２０のトラフィック全てを結合されたローカルリング３０に転送してもよい。或いは特定の実施例ではネットワーク１０で伝送されるトラフィックの部分集合（サブセット）が、ネットワーク１０の複数のＡＮＤ１２に伝送されるように意図された「ブロードキャスト」トラフィックとして指定されてもよい。
【００２１】
特定の実施例ではゲートウエー１４はローカルリング３０に伝送するよう指定されたトラフィックを２つのコピーに分ける。ゲートウエー１４はトラフィックのコピーの一方をアクセスリング２０上の次の下流素子に転送し、ゲートウエー１４に結合された１以上のローカルリング３０上の次の下流素子に他方のコピーを転送する。図６，７はトラフィックをローカルリング１４に転送する特定の実施例のゲートウエー１４の動作を詳細に示す。
【００２２】
ゲートウエー１４がトラフィックをローカルリング３０に転送する結果として、ネットワーク１０は、ネットワーク１０を通じてある種のトラフィックを伝送するために、ネットワーク１０でより高い動作の信頼性を与える技術を用意してもよい。特にゲートウエー１４はアクセストラフィック２０でのトラフィック複製し、そのトラフィックの複製をアクセスリング２０及びローカルリング３０双方に転送するので、特定のローカルリング３０での故障又は他の障害は、アクセスリング２０での及び／又は他のローカルリング３０へのトラフィックの伝送を乱さない。従って特定の実施例のネットワーク１０はネットワーク１０で更に高信頼性の情報通信を行い、情報が複数のローカルリング３０にブロードキャストされる場合は特に有利である。更に、特定のローカルリング３０に関連するゲートウエー１４に到着するトラフィックは次のゲートウエー１４又は他の下流素子に進む前にそのローカルリング３０を通過する必要が無いので、特定の実施例のネットワーク１０は特定のネットワーク１０の至る所で情報をより迅速に通信することができる。
【００２３】
図１Ｂは本発明の特定の実施例によるネットワーク１０で隈なくブロードキャストトラフィックストリーム２２を伝送する様子を示す。上述したように、ブロードキャストトラフィック２２はアクセスリング２０で伝送されるトラフィックの全部又は一部を表す。図１Ｂは更にローカルリング３０に結合されたＡＤＮ１２により付加されたトラフィック（ローカルトラフィック）を伝送する様子も示す。図１Ｂに示されるように、ブロードキャストトラフィック２２を受信すると、特定のゲートウエー１４はブロードキャストトラフィックストリーム２２を特定のローカルリング３０の一端に転送し、ブロードキャストトラフィックストリーム２２が特定のローカルリング３０の対向端に達すると、同じゲートウエー１４又は別のゲートウエー１４はブロードキャストトラフィックストリーム２２を終端する。ローカルリング３０の他端でブロードキャストトラフィックストリーム２２を終端することで、関連するゲートウエー１４はアクセスリング３０で既に伝搬しているブロードキャストトラフィック又は他のトラフィックと干渉することを防ぐ。一方、ゲートウエー１４は関連するローカルリング３０に集められたローカルトラフィックをアクセスリング２０で既に伝搬しているトラフィックに付加し、そのトラフィックがアクセスリング２０のそれ以外の場所に又は他のローカルリング３０に伝送されることを可能にしてもよい。
【００２４】
より具体的には図１Ｂの例に示されるように、ブロードキャストトラフィックストリーム２２はゲートウエー１４ａから始まってアクセスリング２０上で伝送される。ブロードキャストトラフィックストリーム２２はゲートウエー１４ａにより生成されてもよいし、外部ネットワークから、ネットワークのサブネットワークから、又はゲートウエー１４に結合される適切な何らかの要素からのものがゲートウエー１４ａによって転送されてもよい。伝送の後に、ブロードキャストトラフィックストリーム２２は図示されているようにアクセスリング２０の周りを伝搬する。
【００２５】
ブロードキャストトラフィックストリーム２２がゲートウエー１４に到達すると、ゲートウエー１４はトラフィックストリーム２２を分割し、ブロードキャストトラフィックストリーム２２の複製（コピー）を２つ作成する。そしてゲートウエー１４は（ブロードキャストトラフィックストリームの）コピーの一方をアクセスリング２０の次の下流要素に転送し、ゲートウエー１４に結合される特定のローカルリング３０を通じてＡＤＮ１２のような要素に（ブロードキャストトラフィックストリーム２２’）コピーの一方を転送する。ブロードキャストトラフィックストリーム２２’が関連するローカルリング３０の長さを伝搬すると、ローカルリング３０の他方端のゲートウエー１４はブロードキャストストリーム２２’を終端する。
【００２６】
更に、ローカルリング３０に結合されたＡＤＮ１２は、そのＡＤＮ１２に結合されたクライアント装置によって生成された、又はローカルリング３０のそれらのクライアント装置から受信した情報に基づいてＡＤＮ１２により生成されたローカルトラフィックストリーム３２を送信してもよい。例えば図１Ｂはローカルリング３０ｃでＡＤＮ１２ｂにより送信されるローカルトラフィックストリーム３２を示す。ローカルトラフィックストリーム３２は、ローカルトラフィックストリーム３２が送信されたローカルリング３０（即ち、図１Ｂのローカルリング３０ｃ）のある長さを伝搬する。しかしながらブロードキャストトラフィックストリーム３２とは異なり、ローカルリング３０のある長さを伝搬した後にローカルトラフィックストリーム３２がローカルリング３０の端末に結合されたゲートウエー１４（ここではゲートウエー１４ｄ）に達する場合に、ローカルトラフィック３２は終端されない。その代わりに関連するゲートウエー１４はローカルトラフィックストリーム３２をアクセスリング３０で伝搬する他のトラフィックに加える。図１Ｂはゲートウエー１４ａでアクセスリング２０を出るローカルトラフィックストリーム３２を示しているが、ローカルトラフィックストリーム３２の宛先及びネットワーク１０のコンフィギュレーションに依存して、ローカルトラフィックストリーム３２はその代わりに他のゲートウエー１４まで更に下流に伝搬されてもよいし或いは適切に終端されてもよい。
【００２７】
図２Ａは本発明の一実施例によるゲートウエー１４の詳細を示すブロック図である。特に図２Ａは図１のゲートウエー１４ｘのような特定のタイプのゲートウエー１４の内容を示し、そのゲートウエーはアクセスリング２０上のトラフィックを１以上のローカルリング３０に伝送できる。図２Ａを参照するに、ゲートウエー１４は１以上の伝送要素５０、ブロードキャストユニット５２及び管理要素１１０から構成される。更に特定の実施例のゲートウエー１４は図２Ａに示されるようにクライアント装置及びアクセスリング２０間で直接通信を支援するように構成され、そのような動作をサポートするために分配／合成要素８０及び波長ブロックユニット（ＷＢＵ）５３ａ含んでもよい。
【００２８】
図１Ａに示されるように、ゲートウエー１４ｘは１以上のローカルリング３０の入り口に接続され、別のゲートウエー（具体的には、ゲートウエー１４ｙ）は１以上のローカルリング３０の出口に接続される。従ってゲートウエー１４ｘのそばの特定のローカルリングへのトラフィックブロードキャストは、そのトラフィックがローカルリング３０を通ると、ゲートウエー１４ｙにより受信される。更に図２Ａは特定の実施例のゲートウエー１４を示し、そのゲートウエーはローカルリング３０にブロードキャストトラフィックを転送するだけでブロードキャストトラフィックがローカルリング３０を通った後にブロードキャストトラフィックを受信しないように構成されているが、特定の実施例のゲートウエー１４はブロードキャストトラフィックの転送及び受信の双方を行うがこれらのタスクの一方のみを実行するように構成された素子を含んでもよい。従って図４に示されるものと同様な特定の実施例のゲートウエー１４は図２Ａに示される実施例のゲートウエー１４に関して説明されるのと同様に動作するように構築される。逆に、ある状況の下では、図２Ａに示されるのと同様に構成されるゲートウエー１４は、図４に示されるゲートウエー１４の例に関して説明されるのと同様に動作するように適切な素子を付加して修正されてもよい。
【００２９】
一実施例では素子だけでなく要素５０，８０，１１０は要素内で光ファイバリンクに相互接続されてもよい。他の例では素子はプレーナウエーブガイド回路及び／又は自由空間光伝送素子により全部又は一部が実現されてもよい。適切な他の如何なる接続が代替的に使用されてもよい。更に、ゲートウエー１４の要素の各々はゲートウエー１４のカード棚内の１以上の個別カードとして実現されてもよい。カード棚の例のコネクタ例７０は図２Ａに示されているが、適切な如何なるコネクタ７０でもそのような例に使用されてよい。コネクタ７０は障害のある阻止の効率的且つ費用効果的な置換を可能にする。付加的な、様々な及び／又はその他のコネクタがゲートウエー１４の一部として用意されてもよいことが理解されるであろう。
【００３０】
伝送要素５０はアクセスリング２０及び特定のローカルリング３０のファイバの「回線上に(in  line)」適切に設けられる。アクセスリング２０でも伝送するために、伝送要素５０は１以上のローカルリング３０へ伝送するトラフィックの複製を１以上生成するために使用されてもよい。更に伝送要素５０はゲートウエー１４のクライアント装置とアクセスリング２０又は他の適切な何らかのリング（ゲートウエー１４が結合されているリング）と間での特定のトラフィックの通信を促すのに適切な素子を含んでもよい。更に、図示のゲートウエー１４は単独の伝送要素５０しか含んでいないが、特定の実施例のゲートウエー１４は、アクセスリング２０及び／又はローカルリング３０で１以上の方向でトラフィックを受信及び送信するように構築され、そのような動作を支援するように更なる伝送要素５０を含んでもよい。例えばネットワーク１０の特定の実施例では、時計回りに伝搬する第1ファイバ上のトラフィック及び反時計回りに伝搬する第２ファイバのトラフィックと共に２方向でアクセスリング２０の周りをトラフィックが伝搬してもよい。そのような実施例ではゲートウエー１４は２つの伝送要素５０を含んでもよく、一方は時計回りのトラフィックを受信及び送信するように第1ファイバに結合され、一方は反時計回りのトラフィックを受信及び送信するように第２ファイバに結合される。
【００３１】
伝送要素５０はトラフィックの受動的な(passive)転送及び付加を可能にする１つの分岐挿入カプラ６０又は複数の分岐挿入カプラ６０から構成されてもよい。図示の例では伝送要素５０は第1の分岐挿入カプラ６０ａを含み、受信したトラフィックのコピーを作成し、受信したトラフィックの１以上のチャネルを１以上のローカルリング３０に転送可能にし、伝送要素５０は第２の分岐挿入カプラ６０ｂを含み、ゲートウエー１４のクライアント装置及びアクセスリング２０間の通信を支援する。更に一実施例では伝送ユニット５０は付加的なカプラを含み、これらのどのカプラが故障しても付加的なカプラが付加又は転送する機能を依然として提供できるようにしてもよい。説明される例はカプラ６０を使用しているが、適切な他の如何なる光スプリッタが使用されてもよい。本命史書及び特許請求の範囲に関し、「カプラ」、「スプリッタ」及び「合成器」なる語はそれぞれ１以上の入力光信号を受信する、及び入力光信号を１以上の出力光信号に分ける又は合成する如何なる装置をも含むように理解されるべきである。
【００３２】
伝送要素５０は各要素の入口及び出口でのＯＳＣフィルタから更に構成され、それらはそれぞれ伝送要素５０内のトラフィックからＯＳＣチャネルを除去し及びトラフィックにＯＣＳチャネルを付加する。ＯＳＣフィルタ６６は薄膜形式の、ファイバ回折格子型の又は他の適切な形式のフィルタから構成されてもよい。伝送要素５０は入口のＯＳＣフィルタ６６ａ及び出口のＯＳＣフィルタ６６ｂの間に設けられた増幅器６４も含む。増幅器６４はエルビウムドープファイバ増幅器（ＥＤＦＡ）又は他の適切な増幅器から構成されてもよい。
【００３３】
ブロードキャストユニット５２は、ゲートウエー１４で受信したトラフィックのどの部分がブロードキャストトラフィックであるかを判別し、その部分をゲートウエー１４に結合された１以上のローカルリング３０に転送する。特定の実施例では特定の波長がブロードキャストトラフィック用に静的に又は動的に指定される。そのような実施例ではブロードキャストユニット５２はＷＢＵ５４ｂを含み、カプラ６０ａによりアクセスリング２０からのトラフィックコピーを受信してもよい。ＷＢＵ５４ｂはある受信波長で伝送されているトラフィックの伝送を終端し、ブロードキャストトラフィックに指定されている波長のトラフィックをローカルリング３０に伝送する。ローカルリング３０上のＡＤＮ１２により又は関連する伝送波長で送信する他のＡＤＮ１２により以前に付加されたトラフィックと干渉せずに、ローカルリング３０上のＡＤＮ１２がトラフィックをアクセスリング２０に付加できるように、ＷＢＵ５４ｂはＡＤＮ１２により伝送用に指定された波長を自動的に終端してもよい。
【００３４】
図２Ａで及び図３，４でも機能ブロックとして示されているが、ＷＢＵ５４は動的に所定の波長を遮り且つ他の波長を通す機能をもたらすように、適切な如何なる手法で構成されてもよい如何なる素子をも表現し及び／又は含んでもよい。一例として、ＷＢＵ５４は一連のスイッチにより接続される光デマルチプレクサ及び光マルチプレクサを含む構造を表現してもよい。そのような構造の例は図２Ｂに示されており、以下で更に詳細に説明される。他の例として、ＷＢＵ５４はチューナブルフィルタの集合を表し、適切な波長のトラフィックのみがローカルリング３０に転送されるようにしてもよい。そのような構造例は図２Ｃに示され、以下で更に詳細に説明される。更に別の例として、ＷＢＵ５４は波長選択スイッチを表してもよい。
【００３５】
分配／合成要素８０はゲートウエー１４に結合されたクライアント装置へ及びそこからトラフィックを付加する及び除去することを支援する。分配／合成要素８０はドロップ信号スプリッタ８２及び付加信号合成器８４から構成されてもよい。スプリッタ８２は１つの光ファイバ進入リード及び複数の光ファイバ進出リード（ドロップリード８６として機能する）を有するカプラから構成されてもよい。ドロップリード８６は１以上のフィルタ１００に接続され、フィルタはトラフィックをローカルクライアントに通知する１以上のドロップ受信機１０２に接続される。４つのドロップリード８６が実装される特定の実施例では、スプリッタ８２は２×４光スイッチカプラから構成されてもよく、１つの進入リードは終端され、他の進入リードはファイバセグメントを通じてカプラ６０に結合され、４つの進出リードはドロップリード８６として使用される。図示の例は４つのドロップリード８６を示しているが、以下に詳細に更に説明されるように適切なドロップリード８６はいくつでも実装されてよいことが理解されるべきである。
【００３６】
更に、図２Ａは分離したブロードキャストユニット５２及び分配／合成要素８０を含むゲートウエー１４の例を示しているが、その代わりにローカルクライアントに関連する受信機１０２がブロードキャストユニット５２の要素に結合され、ブロードキャストユニット５２がこれらの受信機１０２にトラフィックを適切に転送するようにゲートウエー１４が構成されてもよい。例えば特定の実施例ではＷＢＵ５４ｂは波長選択スイッチを表現してもよい。そのような例では波長選択スイッチの出力ポートはローカルリング３０に結合されてもよく、１以上の他のポートがローカルクライアントに関連する受信機１０２に結合されてもよい。波長選択スイッチはローカルリング３０及びローカルクライアントの間で適切にトラフィックを切り換えることができてもよい。
【００３７】
ブロードキャストユニット５２に関して上述したように、ＷＢＵ５４ａはアクセスリング２０で特定の波長で伝搬する光信号を終端する。より具体的にはＷＢＵ５４ａはアクセスリング２０上のトラフィックの特定の波長を終端し、以後伝送されるトラフィックとアクセスリング２０を循環するトラフィックが不確定的に又は潜在的に干渉することを防ぐ。ネットワーク１０の構成に依存して、ゲートウエー１４の全部又は一部がＷＢＵ５４ａを含んでもよいし、含まなくてもよい。更に特定のＷＢＵ５４ａで終端される波長は予め定められて固定されていてもよいし、或いは動的に変更されてもよい。
【００３８】
合成器８４は同様に複数の光ファイバ進入リード（付加リード８８として機能する）及び１つの光ファイバ進出リードを有するカプラから構成されてもよい。付加リード８８は１以上の付加用の光送信機１０４に接続され、送信機はローカルクライアントからのトラフィックを受信する。４つの付加リード８８が実装される特定の実施例では、合成器８４は２×４光カプラから構成されてもよく、１つの進出リードは終端され、他の進出リードがファイバセグメントを通じてカプラに結合され、４つの進入リードが付加リード８８として使用される。図示の例は４つの付加リード８８を示しているが、以下に更に詳細に説明されるように、適切な付加リード８８はいくつでも実装されてよい。
【００３９】
管理要素１１０はＯＳＣ受信機１１２、ＯＳＣインターフェース１１４、ＯＳＣ送信機１１６及び要素管理システム（ＥＭＳ）１２４から構成されてもよい。ゲートウエー１４はＯＳＣファイバセグメント１５０，１５２を有し、それらは管理要素１１０を進入及び進出ＯＳＣフィルタ６６に接続する。ＯＳＣ受信機１１２、ＯＳＣインターフェース１１４及びＯＳＣ送信機１１６の一式各々はゲートウエー１４内でアクセスリング２０及び／又はローカルリング３０のＯＳＣユニットを形成する。ＯＳＣユニットはＥＭＳ１２４に関するＯＳＣ信号を受信及び送信する。ＥＭＳ１２４はネットワーク管理システム（ＮＭＳ）１２６に通信可能に結合されてもよい。ＮＭＳ１２６はゲートウエー１４内部に、別のノードに或いは全てのゲートウエー１４の外部に設けられてもよい。
【００４０】
ＥＭＳ１２４及び／又はＮＭＳ１２６は、ネットワーク及び／又はノードの監視、障害検出、プロテクションスイッチング及びループバック又はネットワーク１０のローカルな試験機能を実行するために媒体中にエンコードされた論理内容（ロジック）を有する。ロジックは、ディスク又は他のコンピュータ読取可能な媒体中にエンコードされたソフトウエア、及び／又は特定用途向け集積回路（ＡＳＩＣ）、フィールドプログラマブルゲートアレイ（ＦＰＧＡ）又は他のプロセッサやハードウエア中にエンコードされた命令から構成されてもよい。ＥＭＳ１２４及び／又はＮＭＳ１２６の機能はネットワークの他の要素によって実行されてもよいし、及び／又は機能分散されてもよいし機能集約されてもよいことが理解されるであろう。例えばＮＭＳ１２６の機能はＡＤＮ１２のＥＭＳ１２４及び／又はゲートウエー１４に分散されてもよいし、そしてＮＭＳ１２６は分離した、個別の素子としては省略されてもよい。同様にＯＳＣユニットはＮＭＳ１２６及び省略されるＥＭＳ１２４と直接的に通信してもよい。
【００４１】
動作中に伝送要素５０はアクセスリング２０から或いは適切ならばローカルリング３０からトラフィックを受信する。伝送要素５０はアクセスリング２０からのトラフィックを１以上のローカルリング３０へブロードキャストユニット５２により受動的に転送する。伝送要素５０はローカルクライアントからのトラフィックをアクセスリング２０に受動的に付加し、分配／合成要素８０を通じてローカルクライアント宛のトラフィックをアクセスリング２０から落とす。更に、伝送要素５０はアクセスリング２０に及びそこからＯＳＣ信号を受動的に付加及び転送するよう機能してもよい。
【００４２】
より具体的にはＯＳＣ進入フィルタ６６ａはアクセスリング２０からの進入光信号を処理する。ＯＳＣフィルタ６６ａは光信号からＯＳＣ信号を選別し、そのＯＳＣ信号をＯＳＣ受信機１１２に転送する。ＯＳＣフィルタ６６ａは残りのトランスポート光信号を転送する或いは残りのトランスポート光信号が増幅器６４ａに伝搬するようにする。増幅器６４ａはその信号を増幅し、信号をカプラ６０ａに転送する。カプラ６０ａは増幅器６４ａからの信号を概ね等しい２つの信号（増幅器６４ｂに転送される通過信号、及びブロードキャストユニット５２に転送される転送信号）に受動的に分離する。ブロードキャストユニット５２は転送信号に含まれているブロードキャストトラフィックがブロードキャストユニット５２を通過するようにし、転送信号に含まれている残りのトラフィックの全部又は一部を終端する。ネットワークのコンフィギュレーションに依存して、アクセスリング２０で伝搬するトラフィックはローカルリング３０に結合されたクライアント装置宛の非ブロードキャストトラフィックを含んでもよい。ブロードキャストユニット５２はこの非ブロードキャストトラフィックがブロードキャストユニット５２を通過するように構成されてもよい。図示の例ではブロードキャストユニット５２はＷＢＵ５４を含み、ＷＢＵ５４はブロードキャストトラフィックに関連する１以上の波長のどれででも伝搬していない全てのトラフィックを制限する。ブロードキャストユニット５２は転送信号のブロードキャストトラフィックの部分をゲートウエー１４に結合された１以上のローカルリング３０に転送する。
【００４３】
一方、カプラ６０ｂは増幅器６４ｂからの通過信号を概して等しい２つの信号（ＷＢＵ５４ｂに転送される第２通過信号、及び分配／合成要素８０に転送されるドロップ信号）に受動的に分ける。ＷＢＵ５４ａは第２通過信号の特定の波長を終端し、その結果の信号をカプラ６０ｃに転送する。上述したように特定の実施例のゲートウエー１４はＷＢＵ５４ａを含まなくてもよく、カプラ６０ｃがカプラ６０ｂに直接的に接続されてもよい。更にＷＢＵ５４ａの欠如した特定の実施例のゲートウエー１４では、カプラ６０ｃ及びカプラ６０ｂが１つのカプラで置換され、その１つのカプラでアクセスリング２０からのトラフィックを分配／合成要素にドロップすること及び分配／合成要素からのトラフィックをアクセスリング２０に付加することの双方を行ってもよい。
【００４４】
カプラ６０ｃは第２通過信号と付加信号（分配／合成要素８０からの付加トラフィックより成る）とを受動的に合成する。合成された信号はカプラ６０ｃからＯＳＣ出口フィルタ６６ｂに転送される。ＯＳＣ出口フィルタ６６ｂはＯＳＣ送信機１１６からのＯＳＣ信号を合成された光信号に付加し、新たに合成された信号を進出トランスポート信号としてネットワーク１０のリング１６に転送する。付加されたＯＳＣ信号はローカルに生成されてもよいし、ＥＭＳ１２４によって転送された受信ＯＳＣデータでもよい。
【００４５】
カプラ６０に転送されるのに先立って、（ローカルクライアント又は加入者から、他のネトワークから又は適切な他の何らかのソースから）ローカルに導出された付加トラフィックは分配／合成要素８０にて１以上の光送信機１０４により受信される。１以上の光送信機１０４は送信機１０４からの光出力パワーを調整する（手動式可変光アッテネータのような）１以上の素子を含んでもよい。リング１６に付加されるトラフィックは分配／合成要素８０で受信される。別個の光送信機１０４は波長／チャネルの各々について使用されてもよく、その波長等でトラフィックがゲートウエー１４で付加される。更に各付加リード８８は異なる波長／チャネルに関連付けられてもよい。従って特定のゲートウエー１４でトラフィックが付加されるように望まれる個々のチャネルの各々について送信機１０４及び付加リード８８の組み合わせがあってもよい。４つの付加リード８８が示されているが（４つの送信機１０４が明示的に示されてはいないが）、光送信機１０４及び関連する付加リード８８は適切にいくつでも使用されてよいことが理解されるであろう。図２Ａは（合成器８４及び付加リード８８の特定の形態を含む）分配／合成要素８０の特定の形態を示しているが、別の実施例のゲートウエー１４ではこれらの素子の全部又はいくつでも適切な実施例（図２Ｂ又は図２Ｃで示される実施例を含む）のＷＢＵ５４で置換されてもよい。
【００４６】
特定の分配／合成要素８０に関連する１以上の送信機１０４からの付加トラフィックは合成器８４で受信される。合成器８４は（適切ならば）複数の送信機からの信号を合成し、合成された付加信号をアクセスリング２０に付加するためにカプラ６０に転送する。上述したようにこの付加トラフィックはカプラ６０で転送されたトラフィックと合成される。合成器８４はカプラ、マルチプレクサ又は適切な他の如何なる装置であってもよい。
【００４７】
上述したようにゲートウエー１４のローカルクライアント宛のトラフィックはカプラ６０を用いて分配／合成要素８０に落とされる。ドロップトラフィックは分配／合成要素８０のスプリッタ８２で受信され、スプリッタ８２は落とした信号を概して等しい複数の信号に分離し、各信号をドロップリード８６を通じて光受信機１０２に転送する。特定の実施例では光受信機で受信された信号は関連するフィルタで先ず選別されてもよい。フィルタ１００は各フィルタが異なるチャネルをその関連する受信機１０２に転送するように実現されてもよい。フィルタ１００は（音響−光チューナブルフィルタのような）チューナブルフィルタ又は他の適切なフィルタでもよく、受信機１０２はブロードバンド受信機又は他の適切な受信機でもよい。そのようなコンフィギュレーション（形態）はリング１６に関連する各受信機１０２が異なる波長を受信し、その波長で伝送された情報を適切なクライアントに転送できるようにする。フィルタ１００を通過するドロップした光信号は信号の再生成なしに（その信号がそのような再生を要しなければ）クライアントに光学的に転送可能である。図２Ａは（ドロップ信号スプリッタ８２、ドロップリード８６及びフィルタ１００の特定の形態を含む）特定の実施例の分配／合成要素８０を示しているが、別の実施例のゲートウエー１４ではこれらの要素の全部又はどれでもが適切な実施例（図２Ｂ又は図２Ｃにより示される実施例を含む）のＷＢＵ５４と置換されてもよい。
【００４８】
上述したようにゲートウエー１４は要素管理システムも与える。ＥＭＳ１２４はゲートウエー１４内の全ての要素を監視及び制御する。特にＥＭＳ１２４はアクセスリング２０からのＯＳＣ信号をアクセスリング２０に関連するＯＳＣ受信機１１２を通じて電気形式で受信する（ＯＳＣ受信機１１２はＯＳＣフィルタ６６ａを通じて信号を得る。）。ＥＭＳ１２４は信号を処理し、その信号を転送し及び／又はその信号をループバックする。例えばＥＭＳ１２４はその電気信号を受信し、ＯＳＣ送信機１１６及びＯＳＣフィルタ６６ｂを通じてＯＳＣ信号をアクセスリング２０の次のノードに再送し、適切ならばノード固有のエラー情報又は他の適切な情報をＯＳＣに加える。
【００４９】
一実施例ではゲートウエー１４中の各要素はそれ自身を監視し、障害又は他の問題が生じた場合にＥＭＳ１２４へのアラーム信号を生成する。例えばゲートウエー１４中のＥＭＳ１２４はゲートウエー１４中の要素及び素子から１以上の様々な種類のアラームを受信してよく、そのアラームは例えば：光の増幅器光損失（ＬＯＬ）アラーム、増幅器アラーム、光受信機アラーム、光送信機アラーム又は他のアラームである。ある障害は複数のアラームを生み出すかもしれない。例えばファイバ切断は隣接ノードで増幅器ＬＯＬアラームを及び光受信機からエラーアラームをも生み出すかもしれない。更に、ゲートウエー１４内の適切なファイバセグメントに及びＥＭＳ１２４に通信可能に接続された光スペクトルアナライザ（ＯＳＡ）を用いて、ＥＭＳ１２４はゲートウエー１４内で光信号の波長及び／又はパワーを監視してもよい。
【００５０】
ＮＭＳ１２６はＡＤＮ１２及びゲートウエー１４の全部又はどれでもからのエラー情報を収集し、アラームを分析し、障害のタイプ及び／又は場所を判別してもよい。生涯のタイプ及び／又は場所に基づいて、ＮＭＳ１２６はネットワーク１０の必要とされるプロテクションスイッチング動作を判別する。プロテクションスイッチング動作はＡＤＮ１２及びゲートウエー１４でＥＭＳ１２４に命令を発行することでＮＭＳ１２６により実行されてもよい。エラーメッセージは装置不具合を示してもよく、その装置不具合は障害のある装置を置換することで修復されてもよい。例えば光受信機又は送信機の障害は光受信機装置アラーム又は光送信機装置アラームの契機（トリガ）を与え、光受信機又は送信機が必要に応じて交換される。
【００５１】
図２ＢはＷＢＵ５４の一例を示す。特に図２Ｂが示すＷＢＵ５４の一例はＷＢＵ５４に到来するトラフィックの特定の波長を選択的に終端する又は選択的に通過させることのできる一連のスイッチ２３０を含む。図示の例ではＷＢＵ５４はデマルチプレクサ２１０、マルチプレクサ２２０及び複数のスイッチ２３０を含む。
【００５２】
動作中にデマルチプレクサ２１０はＷＢＵ５４への光信号入力を例えばゲートウエー１４のカプラ６０ａから受信する。デマルチプレクサ２１０は信号をその構成チャネルに分離する。スイッチ２３０は関連する制御線２３２により各スイッチ２３０で受信される制御信号に基づいて各チャネルを選択的に終端し又はマルチプレクサ２２０に転送するように動的に構成されてもよい。スイッチ２３０により転送されたチャネルはマルチプレクサ２２０で受信され、マルチプレクサは受信したチャネルをＷＤＭ光信号に多重化し、その光信号をローカルリング３０のような下流要素に転送する。従って波長は選択的に終端又は転送され、ＷＢＵ５４よりも下流の素子に転送されるべきでないトラフィックを終端する。例えばＷＢＵ５４が結合される特定のローカルリング３０で使用するように確保されている特定の波長のトラフィックを終端するように、スイッチ２３０が構成されてもよい。その結果としてローカルリング上にあるＡＤＮ１２及び他の素子は上流のトラフィックと干渉せずに確保された波長の１つでトラフィックを付加する。
【００５３】
図２ＣはＷＢＵ５４の別の例を示し、デマルチプレクサ２１０の代わりに１以上のカプラ６０を使用し、スイッチ２３０の代わりにチューナブルフィルタ２７０の集合を使用する。特に、別の例のＷＢＵ５４は第1カプラ６０ｅ、第２カプラ６０ｆ及び複数のチューナブルフィルタ２４０を含む。チューナブルフィルタ２４０はトラフィックの特定の波長を又はある範囲の波長を伝搬し、他の全ての波長又は範囲内の波長を終端するように調整される。
【００５４】
動作中にカプラ６０ｅはＷＢＵ５４への光信号入力を例えばゲートウエー１４のカプラ６０ａから受信する。カプラ６０ｅは光信号を複数のコピーに分割し、それらのコピーの各々を特定のチューナブルフィルタ２７０に送信する。カプラ６０ｅ及び６０ｆは共に１つのカプラとして示されているが、カプラ６０ｅ及び６０ｆの双方ともＷＢＵ５４の特定の実施例ではカスケード接続された１以上のカプラから構成され、ＷＢＵ５４への光信号入力の複数の複製を生成してもよい。
【００５５】
各チューナブルフィルタ２７０は特定の波長で又は特定の波長の範囲で伝搬するトラフィックを選択的に通し、他の全ての波長で伝搬するトラフィックを遮る。そして各チューナブルフィルタ２７０は関連する１つ又は複数の波長で伝搬する通過トラフィックをカプラ６０ｆに転送する。カプラ６０ｆは各チューナブルフィルタ２７０の出力を合成し、それらの信号を例えばＷＢＵ５４に結合されたローカルリング３０に転送する。その結果、１以上のフィルタ２７０の「チューニング」に合致する波長のみがフィルタ群を通過し、波長が選択的に終端され或いはＷＢＵ５４に関連するローカルリング３０に転送される。
【００５６】
図３は別の実施例のゲートウエー１４の詳細を示すブロック図である。特に図３はゲートウエー１４ｙのような特定のタイプのゲートウエー１４の内容を示し、そのゲートウエーは１以上のローカルリング３０上の選択されたトラフィックをアクセスリング２０に転送することができる。図３を参照するに、ゲートウエー１４は１以上の伝送要素５０、ローカルトラフィックユニット９０及び管理要素１１０から構成される。更に図３に示されるような特定の実施例のゲートウエー１４はクライアント装置及びアクセスリング２０間で直接的な通信を支援するように構成され、そのような機能をサポートするために分配／合成要素８０を含んでもよい。伝送要素５０、管理要素１１０及び分配／合成要素８０は図２Ａを参照しながら説明されたものと構成及び動作の点で同様である。
【００５７】
図１Ａに示されるように、ゲートウエー１４ｘは１以上のローカルリング３０の入口端に接続されるが、別のゲートウエー（具体的にはゲートウエー１４ｙ）はゲートウエー１４ｘからの上流の１以上のそれらのローカルリング３０の出口端に接続される。従ってゲートウエー１４ｘの側の特定のローカルリング３０へのトラフィックブロードキャストは、そのトラフィックがローカルリング３０を横切ると、ゲートウエー１４ｙによって受信されることになる。図３は特定の実施例のゲートウエー１４を示し、そのゲートウエーはそのようなブロードキャストトラフィックがローカルリング３０を通過した後でしかブロードキャストトラフィックを受信せず、アクセスリング２０で初期にブロードキャストトラフィックを受信すること及びそのトラフィックをローカルリング３０に転送することの責務を有しないように構築されているが、特定の実施例のゲートウエー１４はブロードキャストトラフィックの転送及び受信の双方のための要素であるが、これらのタスクの一方しか実行しないよう構築された要素を含んでもよい。図４に示されるものに類似する特定の実施例のゲートウエー１４は図３に示される実施例のゲートウエーと同様に機能するよう構築されてもよい。逆に、場合によっては図３に示されるものと同様に構築されたゲートウエー１４は、図４に示される実施例のゲートウエー１４に関して説明したような適切な素子を付加して修正されてもよい。
【００５８】
ローカルトラフィックユニット９０はゲートウエー１４に結合された１以上のローカルリング３０で伝搬するトラフィックを受信し、そのトラフィックの部分がブロードキャストトラフィックを表すものは何でも終端又は遮断する。ローカルトラフィックユニット９０はローカルリング２０を伝搬するローカルトラフィックを付加的に受信し、そのローカルトラフィックをアクセスリング２０で現在伝搬しているトラフィックに付加する。ローカルトラフィックユニット９０はネットワーク１０で伝送されるブロードキャストトラフィックに関連する適切な如何なる基準でもそれに基づいてブロードキャストトラフィックを終端してもよい。ネットワーク１０の特定の実施例ではブロードキャストトラフィックは指定された波長又は指定された範囲の波長で伝送される。ネットワーク１０のそのような実施例ではローカルトラフィックユニット９０はブロードキャストトラフィック用に指定された１つ又は複数の波長をブロックするＷＢＵ５４ｃを含でもよい。このことは、ローカルリング３０で伝搬しているブロードキャストトラフィック（アクセスリング２０で現在伝搬しているブロードキャストトラフィックと干渉するかもしれないもの）を付加せずに、ゲートウエー１４がローカルリング３０からのローカルトラフィックをアクセスリング２０に付加することを可能にする。
【００５９】
更に、ローカルユニット９０及び分配／合成要素８０を別個に含むゲートウエー１４の例を図３は示すが、その代わりにローカルクライアントに関連する送信機１０４がローカルユニット９０の複数の要素に結合され且つローカルユニット９０がそれらの受信機１０４から受信したトラフィックを適切に転送するように、ゲートウエー１４が構築されてもよい。例えば特定の実施例のＷＢＵ５４ｃは波長選択スイッチを表してもよい。そのような実施例では波長選択スイッチの入力ポートはローカルリング３０に結合されているが、１以上の他の入力ポートはローカルクライアントに関連する送信機１０４に結合されてもよい。波長選択スイッチはローカルリング３０及びローカルクライアントからのトラフィックを適切に合成できてもよい。
【００６０】
動作中に伝送要素５０はアクセスリング２０からのトラフィックを受信する。伝送要素５０、管理要素１１０及び分配／合成要素８０の全ては図２Ａに関連して説明されたように機能する。更に本実施例ではローカルトラフィックユニット９０はゲートウエー１４に結合された１以上のローカルリング３０から発するトラフィックを受信する。ローカルトラフィックユニット９０はアクセスリング３０からローカルリング２０に転送されたブロードキャストトラフィックを受信し及び遮断又は終端させ、ローカルリング３０から受信したブロードキャストトラフィックとアクセスリング２０で現在伝搬している同じブロードキャストトラフィックとの間の干渉を防いでもよい。上述したようにローカルトラフィックユニット９０は特定の実施例ではＷＢＵ５４ｃを含み、ＷＢＵ５４ｃはブロードキャストトラフィックに関連する１以上の波長のトラフィックをブロック又は終端することでブロードキャストトラフィックを遮る。そしてローカルトラフィックユニット９０はＷＢＵ５４ｃにより通されたトラフィックを送信し、そのトラフィックはアクセスリング２０で伝送するためのカプラ６０ｂへのトラフィックを含む。そのような実施例ではＷＢＵ５４ｃは、図２Ｂに示されるデマルチプレクサ／マルチプレクサ構造、図２Ｃに示されるチューナブルフィルタ構造、波長選択スイッチ、又はそれ以外の光トラフィックの選択された波長をブロック又は終端することができる１つ又は複数の適切な何らかの素子を含んでもよい。
【００６１】
図４は別の代替実施例のゲートウエー１４を示すブロック図である。特に図４はゲートウエー１４ｚのような特定のタイプのゲートウエー１４の内容を示し、そのゲートウエーはアクセスリング２０から１以上のローカルリング３０へブロードキャストトラフィックを転送すること及びそれらのローカルリング３０で伝送されるローカルトラフィックをアクセスリング２０に付加することの双方が可能である。ゲートウエー１４ｚは伝送要素５０、管理要素１１０、分配／合成要素８０、ブロードキャストユニット５２及びローカルトラフィックユニット９０を含む。図１Ａに示されるようにそのような実施例ではゲートウエー１４ｚは、１以上のローカルリング３０の第1端部に及びそれらのローカルリング３０の第２端部に接続される。従ってゲートウエー１４ｚにより特定のローカルリング３０へのトラフィックブロードキャストはそのようなトラフィックがローカルリング３０を横切る際にゲートウエー１４ｚに戻る。
【００６２】
伝送要素５０、管理要素１１０及び分配／合成要素８０は図２Ａに関して上述された構成及び動作と同様である。更にブロードキャストユニット５２及びローカルトラフィックユニット９０はそれぞれ図２Ａ及び３に関連して説明されたように動作する。しかしながらブロードキャストユニット５２は特定のローカルリング３０の第1端部に結合され、ローカルトラフィックユニット９０は同じローカルリング３０の第２端部に結合される。その結果、この実施例のゲートウエー１４はブロードキャストトラフィックをローカルリング３０に落とすこと及びローカルリング３０からのローカルトラフィックをアクセスリング２０に付加することの双方を行う。そのような実施例のゲートウエー１４の動作は図７で詳細に説明される。
【００６３】
図５は本発明の一実施例によるＡＤＮ１２の詳細を示すブロック図である。図５を参照するに、ＡＤＮ１２は伝送要素５０、分配／合成要素８０及び管理要素１１０から構成される。一実施例では素子中の要素に加えて要素５０，８０，１１０は光ファイバリンクに相互接続されてもよい。他の例では素子はプレーナウエーブガイド回路により及び／又は自由空間光伝送素子により全部また配置部が実現されてよい。何らかの他の適切な接続が代替的に使用されてもよい。更にＡＤＮ１２の要素各々はＡＤＮ１２のカード棚内の１以上の個別的なカードとして実現されてもよい。カード棚の例に関するコネクタ例７０は図５に示されている。コネクタ７０は故障した素子の効率的且つコスト効果的な置き換えを可能にする。異なる及び／又は他の接続がＡＤＮ１２の一部として用意されてもよいことが理解されるであろう。
【００６４】
伝送要素５０はアクセスリング２０又はローカルリング３０にトラフィックを受動的に付加し、ローカルリング３０からのトラフィックを受動的にドロップし、ＡＮＤ１２のクライアント装置及びローカルリング３０間の情報交換を支援する。分配／合成要素８０はクライアント装置から受信した電気信号をローカルリング３０で伝送するための光信号に変換し、ローカルリング３０から受信した光信号をクライアント装置へ伝送するための電気信号に変換する。管理要素１１０はＡＤＮ１２及びネットワーク１０の他の要素を監視し、トラフィック中断又は素子障害に対処するためにＡＤＮ１２を再構成してもよい。伝送要素５０、分配／合成要素８０及び管理要素１１０の構成及び動作は図２Ａに関して上述したものと同様である。
【００６５】
図６はアクセスリング２０からローカルリング３０ｘへトラフィックをブロードキャストする場合における動作を示し、図３に示されるゲート上１４と共に図２Ａに示されるようなゲートウエー１４の動作を示す。特に図６は第1ゲートウエー１４ｘ及び第２ゲートウエー１４ｙを含む一部のネットワーク１０を示し、それぞれ、アクセスリング２０からのトラフィックをローカルリング３０ｘに落とし、ローカルリング３０ｘからのローカルトラフィックをアクセスリング２０に付加する。ネットワーク１０の図示の部分はＡＤＮ１２に接続されたクライアント装置に代行して、ローカルリング３０へのトラフィックを付加すること及びトラフィックを落とすことが可能なＡＤＮ１２を含む。図６に示されるように、ネットワーク１０はここでは反時計回りの単一方向にトラフィックを伝搬することしかサポートしない。しかしながら上述したように本発明は適切な素子に適切な修正をなすことで双方向トラフィックをサポートするネットワーク１０の実施例も想定している。
【００６６】
動作中にゲートウエー１４ｘはアクセスリング２０で伝搬するトラフィック６１０を受信する。トラフィック６１０は様々な波長で伝搬する複数の個々のトラフィックストリームを含んでもよい。ゲートウエー１４ｘはトラフィック６１０を２つのコピーに分ける。ゲートウエー１４ｘは第1のコピー６２０をアクセスリング２０上の次の下流素子（こｋではゲートウエー１４ｙ）に伝送する。更にゲートウエー１４ｘはトラフィック６１０の第２コピーの特定の波長のトラフィックをブロードキャストトラフィック６３０としてローカルリング３０に転送する。上述したようにアクセスリング２０で伝送される全てのトラフィック又は適切なトラフィックの如何なる部分もローカルリング３０でブロードキャストされてよい。
【００６７】
トラフィック６１０の一部分だけがローカルリング３０でブロードキャストされるなら、ゲートウエー１４ｘはそのトラフィックのどの部分がローカルリング３０で伝送するのに適切なブロードキャストトラフィックを表すかを判別するために、トラフィック６１０の第２コピーの適切な如何なる属性を利用してもよい。特定の実施例ではブロードキャストトラフィックに特定の波長が指定され、その指定内容は予め定められ、固定され、或いは動作中に動的に決定される。そのような実施例ではブロードキャストユニット５２は、トラフィック６１０の第２コピー中のブロードキャストトラフィックに関連しない波長全てをブロックし、ブロードキャストトラフィックストリーム６３０を生成するために残りの波長のトラフィックを転送する。ゲートウエー１４ｘはローカルリング３０ｘでそのブロードキャストトラフィックストリーム６３０を終端する。
【００６８】
ＡＤＮ１２ｘはブロードキャストトラフィックストリーム６３０を受信及びドロップする。ＡＤＮ１２ｘはトラフィックの特定の部分をＡＤＮ１２ｘに結合されたクライアント装置に送信するために適切な何らかの光−電気変換及び／又はスイッチングを実行する。特定の実施例ではブロードキャストトラフィック６３０はＡＤＮ１２ｘに結合されたクライアント装置全てに送信される。ＡＤＮ１２ｘはこれらのクライアント装置により生成されたトラフィック（ローカルトラフィックストリーム６３２）をローカルリング３０ｘに付加する。ブロードキャスト伝送用に特定の波長を指定する特定の実施例では、ローカルトラフィックストリーム６３２は、ブロードキャストトラフィックにしてされたものの中にはない１以上の波長で送信されてもよい。ローカルトラフィックストリーム６３２及びブロードキャストトラフィックストリーム６３０はローカルリング３０の次の下流素子（第２ゲートウエー１４ｙ）に伝送される。代替実施例ではローカルリング３０ｘは複数のＡＤＮ１２を含んでもよく、ＡＤＮの１つは付加的なローカルトラフィックストリーム６３２を付加してもよいし、どのＡＤＮも付加しなくてもよい。
【００６９】
ゲートウエー１４ｙはローカルリング３０ｘで伝送される全てのトラフィックを受信する。第２ゲートウエー１４ｙのローカルトラフィックユニット９０はローカルリング３０ｘからのローカルトラフィックストリーム６３２がローカルトラフィックユニット９０を通過することを許容し、ローカルトラフィックストリーム６３２はアクセスリング２０で既に伝搬しているトラフィックに付加される。しかしながらローカルトラフィックユニット９０はローカルリング３０で伝搬するブロードキャストトラフィックストリーム６３０がローカルトラフィックユニット９０を通過することを許容しない。ローカルトラフィックユニット９０はその代わりにブロードキャストトラフィックストリーム６３０を終端する。上述したように特定の実施例ではブロードキャストトラフィックは１以上の指定されたブロードキャスト波長で伝送され、第２ゲートウエー１４ｙのローカルトラフィックユニット９０はそれらの指定されたブロードキャスト波長のトラフィック全てをブロックするように構築されてもよい。結果としてローカルリング３０からのローカルトラフィックストリーム６３２はアクセスリング２０で伝搬するトラフィックストリームに付加されるが、ローカルリング３０からのブロードキャストトラフィックストリーム６３０はそうしない。このことはブロードキャストトラフィック６３０がブロードキャストトラフィックストリーム６３０と同じ波長でアクセスリング２０上を伝送される他のブロードキャストトラフィックストリームに付加されることから結果的に生じる干渉を防ぐ。
【００７０】
図７はアクセスリング２０からローカルリング３０ｚにトラフィックをブロードキャストする場合における図４に示される実施例のゲートウエー１４の動作を示す。特に図７はゲートウエー１４を含むネットワーク１０の一部を示し、ゲートウエーはアクセスリング２０からのトラフィックをローカルリング３０ｚにドロップすること及び同じローカルリング３０ｚからのトラフィックをアクセスリング２０に付加することの双方を行う。ネットワーク１０の図示の部分はＡＤＮ１２ｚを含み、ＡＤＮ１２ｚはＡＤＮ１２ｚに取り付けられたクライアント装置に代わってローカルリング３０ｚへトラフィックを付加すること及びそこからトラフィックをドロップすることができる。図６に示されるようにネットワーク１０はここでは反時計回りの単一方向でのトラフィック伝搬しかサポートしない。しかしながら上述したように本発明は適切な素子に適切な修正を加えることで双方向のトラフィックをサポートするネットワーク１０の実施例も想定している。
【００７１】
動作中にゲートウエー１４ｚはアクセスリング２０で伝搬するトラフィック７１０を受信する。トラフィック７１０は様々な波長で伝搬する複数の個々のトラフィックストリームを含んでもよい。ゲートウエー１４ｚはトラフィック７１０を２つのコピーに分ける。ゲートウエー１４ｚは第1のコピーをアクセスリング２０の次の下流素子（図示せず）に送信する。更にゲートウエー１４ｚはトラフィック７１０の第２コピーのうち特定の波長にあるトラフィックをブロードキャストトラフィック７３０としてローカルリング３０に転送する。上述したようにアクセスリング２０で伝送される全てのトラフィック又はトラフィックの適切などの部分でもローカルリング３０ｚでブロードキャストされてもよい。
【００７２】
トラフィック７１０の一部分のみがローカルリング３０ｚでブロードキャストされるならば、トラフィックのどの部分がローカルリング３０での伝送に適切なブロードキャストを表すかを判別するために、トラフィック７１０の第２コピーの適切な如何なる属性を利用してもよい。特定の実施例では特定の波長がブロードキャストトラフィック用に指定され、その指定内容は予め形成された定められ、固定され或いは動作中に動的に決定されてもよい。そのような実施例ではブロードキャストユニット５２は、ブロードキャストトラフィックに関連しないトラフィック７１０の第２コピーの波長全てをブロックし、ブロードキャストトラフィックストリーム７３０を生成するために残りの波長のトラフィックを転送する。ゲートウエー１４ｚはこのブロードキャストトラフィックストリーム７３０をローカルリング３０ｚで送信する。
【００７３】
ＡＤＮ１２ｚはブロードキャストトラフィックストリーム７３０を受信し及びドロップする。ＡＤＮ１２ｚはトラフィックの特定の部分をＡＤＮ１２ｚに結合されたクライアント装置に伝送するために適切な如何なる光−電気変換及び／又はスイッチングをも実行する。特定の実施例ではブロードキャストトラフィックストリーム７３０はＡＤＮ１２ｚに結合された全てのクライアントに伝送される。またＡＤＮ１２ｚはこれらのクライアント装置により生成されたトラフィック（ローカルトラフィックストリーム７３２）をローカルリング３０に付加する。ローカルトラフィックストリーム７３２及びブロードキャストトラフィックストリーム７３０はローカルリング３０上で次の下流の素子（ゲートウエー１４ｚ）に伝送される。別の実施例ではローカルリング３０ｚは複数のＡＤＮ１２を含み、複数のうちの１つは付加的なローカルトラフィックストリーム７３２を付加してもよいし、どれも付加しなくてもよい。
【００７４】
ゲートウエー１４ｚはローカルリング３０ｚで伝送されるトラフィック全てを受信する。ゲートウエー１４ｚのローカルトラフィックユニット９０はローカルリング３０上のローカルトラフィック７３２がローカルトラフィックユニット９０を通過することを許可し、このローカルトラフィック７３２はアクセスリング２０に付加される。しかしながらローカルトラフィックユニット９０はローカルリング３０ｚで伝搬するブロードキャストトラフィック７３０がローカルトラフィックユニット９０を通過することを許可しない。その代わりにローカルトラフィックユニット９０はブロードキャストトラフィック７３０を終端する。上述したように一実施例ではブロードキャストトラフィックは１以上の指定されたブロードキャスト波長で伝送され、ローカルトラフィックユニット９０はこれらの指定されたブロードキャスト波長のトラフィックストリーム全てをブロックするように構築されてもよい。その結果、ローカルリング３０からのローカルトラフィックストリーム７３２はアクセスリング２０で伝搬しているトラフィックストリームに付加されるが、ローカルリング３０からのブロードキャストトラフィックストリーム７３０はそうではない。このことはブロードキャストトラフィック７３０がブロードキャストトラフィックストリーム７３０と同じ波長でアクセスリング２０上を伝送される他のブロードキャストトラフィックストリームに付加されることから結果的に生じる干渉を防ぐ。
【００７５】
図８はネットワーク１０の特定の実施例による方法８００の動作例を示すフローチャートを示し、ブロードキャストトラフィックは第1のゲートウエー１４によりローカルリングに転送され、ローカルリング３０を伝搬した後に第２ゲートウエー１４により送信される。この説明は以下のステップに関して特定の順序を示すが、特定の実施例のネットワーク１０は適切な如何なる順序でこれらのステップを実行してもよく、複数のステップが同時に実行されてもよい。方法８００はステップ８１０から始まり、第1ゲートウエー１４がアクセスリング２０を伝送するトラフィックを受信する。ステップ８２０で第1ゲートウエー１４はアクセスリング２０で受信したトラフィックの第1コピーをアクセスリング２０上で送信する。ステップ８３０で第1ゲートウエー１４はトラフィックの第２コピーの一部分（ブロードキャストトラフィックである部分）をローカルリング３０上で、第1ゲートウエー１４に関連するローカルリング３０でのブロードキャストトラフィックストリームとして伝送する。
【００７６】
ステップ８４０ではローカルリング３０の１以上のＡＤＮ１２がローカルリング３０でブロードキャストトラフィックを受信する。ステップ８５０ではＡＤＮ１２はブロードキャストトラフィックストリームをドロップし、ブロードキャストトラフィックストリーム中の情報を適切なクライアント装置に送信する。ステップ８６０ではＡＤＮ１２はクライアント装置によって送信された情報を含むローカルトラフィックをローカルリング３０上で伝搬するトラフィックに付加する可能性がある。
【００７７】
ステップ８７０ではゲートウエー１４はブロードキャストトラフィックストリーム及びローカルトラフィックストリームを受信する。ステップ８８０で第２ゲートウエー１４はアクセスリング２０で伝搬するトラフィックにローカルトラフィックストリームを付加する。ステップ８９０にて第２ゲートウエー１４は、ブロードキャストトラフィックに関連する１以上の波長でローカルリング３０上を伝搬するトラフィックをブロックすることでブロードキャストトラフィックストリームを終端する。
【００７８】
図９はあ特定の実施例のネットワーク１０での方法９００による動作例を示すフローチャートであり、ブロードキャストトラフィックがゲートウエー１４によりローカルリングに転送され、ローカルリング３０を伝搬した後に同じゲートウエー１４によって終端される。この説明は以下のステップに関して特定の順序を示しているが、特定の実施例のネットワーク１０はこれらのステップを適切ないかなる順序で実行してもよいし、複数のステップが同時に実行されてもよい。方法９００はステップ９１０から始まり、ゲートウエー１４がアクセスリング２０で伝搬するトラフィックを受信する。ステップ９２０ではゲートウエー１４がアクセスリング３０で受信したトラフィックの第1コピーをアクセスリング２０で伝送する。ステップ９３０ではゲートウエー１４はトラフィックの第２コピーの一部分（ブロードキャストトラフィックである部分）をゲートウエー１４に関連するローカルリング３０のブロードキャストトラフィックストリームとしてローカルリング３０上で伝送する。
【００７９】
ステップ９４０では１以上のＡＤＮ１２がローカルリング３０上のブロードキャストトラフィックストリームを受信する。ステップ９５０でＡＤＮ１２はブロードキャストトラフィックストリームをドロップし、ブロードキャストトラフィックストリーム中の情報を適切なクライアント装置に送信する。ステップ９６０ではＡＤＮ１２はクライアント装置によって送信された情報を含むローカルトラフィックをローカルリング３０で伝搬するトラフィックに付加する可能性がある。
【００８０】
ステップ９７０ではゲートウエー１４はブロードキャストトラフィックストリーム及びローカルトラフィックストリームを受信する。ステップ９８０でゲートウエー１４はローカルトラフィックストリームをアクセスリング２０で伝搬するトラフィックに付加する。ステップ９９０にてゲートウエー１４は、ブロードキャストトラフィックに関連する１以上の波長でローカルリング３０上を伝搬するトラフィックを遮ることでブロードキャストトラフィックストリームを終端する。
【００８１】
以上本発明がいくつかの実施例と共に説明されてきたが、様々な変更及び修正が当業者に示唆されるであろう。本発明はそのような変更及び修正を特許請求の範囲内に網羅するように包含することが意図される。
【００８２】
以下、本発明により教示される手段が例示的に列挙される。
【００８３】
（付記１）
複数のゲートウエーを接続し、前記ゲートウエーに及び前記ゲートウエーから光信号を伝送するアクセスリングであって、前記光信号は複数の波長より成り、複数の波長の各波長はトラフィックを伝送するのに使用可能であるところのアクセスリング；及び
１以上の付加及び除去ノード（ＡＤＮ）を結合し、前記ＡＤＮに及び前記ＡＤＮから光信号を伝送するローカルリング；
を有する光ネットワークであって、前記１以上のＡＤＮは前記ローカルリングへ及び前記ローカルリングからトラフィックを１以上の波長で付加及び除去し；
第1のゲートウエーが：
前記アクセスリングで伝送される前記光信号の１以上の波長で伝送されたブロードキャストトラフィックを前記アクセスリングで受信し；
前記アクセスリングで受信した前記ブロードキャストトラフィックの第1の複製を前記アクセスリングで転送し；及び
前記アクセスリングで受信した前記ブロードキャストトラフィックの第２の複製を前記ローカルリングで転送し；並びに
第２のゲートウエーが：
前記ローカルリング上の１以上のＡＤＮから発するローカルトラフィックを受信し；
前記ローカルトラフィックを前記アクセスリングに転送し；
前記第1のゲートウエーにより前記ローカルリングに転送されたブロードキャストトラフィックを前記ローカルリングから受信し；及び
前記ローカルリングから受信した前記ブロードキャストトラフィックを終端する；
ことを特徴とする光ネットワーク。
【００８４】
（付記２）
前記第２のゲートウエーが：
前記ローカルリングで受信した前記ローカルトラフィックを前記アクセスリングで受信した前記光信号に付加すること；及び
前記ローカルトラフィックを含む前記光信号を前記アクセスリングの別のゲートウエーに転送すること；
によって、前記ローカルリングで受信した前記ローカルトラフィックを前記アクセスリングに転送し、前記アクセスリングで受信した前記光信号は前記ローカルトラフィック中の異なる波長で送信されたトラフィックより成る
ことを特徴とする付記１記載の光ネットワーク。
【００８５】
（付記３）
前記第1のゲートウエーが、前記アクセスリングに結合された第1の光カプラから構成され、前記第1の光カプラは：
前記アクセスリングで受信した光信号を前記光信号の第1コピー及び前記光信号の第２コピーに分割し、
前記光信号の前記第1コピーを前記アクセスリングで転送し；
前記光信号の前記第２コピーを前記ローカルリングに結合された波長遮断器に転送し；
前記光信号は前記光信号の１以上の波長でブロードキャストトラフィックを構成し；
前記波長遮断器は：
前記第1の光カプラから前記光信号の前記第２コピーを受信し；
前記ローカルリングにブロードキャストされない１以上の波長の第２コピーのトラフィックを終端し；及び
１以上の終端されない波長のトラフィックを前記ローカルリングに転送する；
ことを特徴とする付記１記載の光ネットワーク。
【００８６】
（付記４）
前記第２のゲートウエーは、前記アクセスリングに結合された第２の光カプラから構成され、前記ローカルリングで受信した前記ローカルトラフィックを前記アクセスリングの前記第２のカプラで受信した光信号に付加する
ことを特徴とする付記３記載の光ネットワーク。
【００８７】
（付記５）
前記波長遮断器が：
前記光信号の前記第２コピーを複数の構成成分波長に分離する光デマルチプレクサ；
複数の光スイッチであって、前記複数の光スイッチは前記第２コピーの構成成分波長を受信し、特定の構成成分波長を選択的に終端するところの複数の光スイッチ；及び
１以上の終端されていない構成成分波長の前記複数の光スイッチによる出力を合成する光マルチプレクサ；
から構成されることを特徴とする付記３記載の光ネットワーク。
【００８８】
（付記６）
前記波長遮断器が：
前記光信号の前記第２コピーを光信号の複数のコピーに分割する１以上の入力カプラ；
複数のチューナブルフィルタであって、複数のチューナブルフィルタの各々は複数のコピーの１つを受信し、受信したコピーうち特定の構成成分波長を通し、受信したコピーの他の構成成分波長を終端するところの複数のチューナブルフィルタ；及び
前記チューナブルフィルタによる複数の光信号出力を合成する１以上の出力カプラ；
から構成されることを特徴とする付記３記載の光ネットワーク。
【００８９】
（付記７）
前記波長遮断器が、波長選択スイッチから構成される
ことを特徴とする付記３記載の光ネットワーク。
【００９０】
（付記８）
前記アクセスリングが第1のファイバ及び第２のファイバから構成され、前記第１のゲートウエー及び前記第２のゲートウエーが前記第1のファイバ上の光信号を第1の方向に更に送信し；及び前記第1のゲートウエー及び前記第２のゲートウエーが前記第２のファイバ上の光信号を第２の方向に送信する
ことを特徴とする付記１記載の光ネットワーク。
【００９１】
（付記９）
少なくとも１つのＡＤＮが、ＡＤＮに結合されたクライアント装置によって送信されたトラフィックを付加し、ＡＤＮに結合されたクライアント装置へ送信されたトラフィックを落とす
ことを特徴とする付記１記載の光ネットワーク。
【００９２】
（付記１０）
少なくとも１つのゲートウエーが、ゲートウエーに結合されたクライアント装置によって送信されたトラフィックを付加し、ゲートウエーに結合されたクライアント装置へ送信されたトラフィックを落とす
ことを特徴とする付記１記載の光ネットワーク。
【００９３】
（付記１１）
複数のゲートウエーを接続し、前記ゲートウエーに及び前記ゲートウエーから光信号を伝送するアクセスリングであって、前記光信号は複数の波長より成り、複数の波長の各波長はトラフィックを伝送するのに使用可能であるところのアクセスリング；及び
１以上の付加及び除去ノード（ＡＤＮ）を結合し、前記ＡＤＮの間で光信号を伝送するローカルリング；
を有する光ネットワークであって、前記１以上のＡＤＮは前記光リングへ及び前記光リングからトラフィックを１以上の波長で付加及び除去し；
少なくとも１つのゲートウエーが：
前記アクセスリングで伝送される前記光信号の１以上の波長で伝送されたブロードキャストトラフィックを前記アクセスリングで受信し；
前記アクセスリングで受信した前記ブロードキャストトラフィックの第1の複製を前記アクセスリングで転送し；
前記アクセスリングで受信した前記ブロードキャストトラフィックの第２の複製を前記ローカルリングで転送し；
前記ローカルリング上の１以上のＡＤＮから発するローカルトラフィックを受信し；
前記ローカルトラフィックを前記アクセスリングに転送し；
前記少なくとも１つのゲートウエーにより前記ローカルリングに転送されたブロードキャストトラフィックを前記ローカルリングから受信し；及び
前記ローカルリングから受信した前記ブロードキャストトラフィックを終端する；
ことを特徴とする光ネットワーク。
【００９４】
（付記１２）
前記少なくとも１つのゲートウエーが：
前記ローカルリングで受信した前記ローカルトラフィックを前記アクセスリングで受信した前記光信号に付加すること；及び
前記ローカルトラフィックを含む前記光信号を前記アクセスリングに転送すること；
によって、受信した前記ローカルトラフィックを前記アクセスリングに転送し、前記アクセスリングで受信した前記光信号は前記ローカルトラフィック中の異なる波長で送信されたトラフィックより成る
ことを特徴とする付記１１記載の光ネットワーク。
【００９５】
（付記１３）
前記少なくとも１つのゲートウエーが、前記アクセスリングに結合された第1の光カプラから構成され、前記第1の光カプラは：
前記アクセスリングで受信した光信号を前記光信号の第1コピー及び前記光信号の第２コピーに分割し、
前記光信号の前記第1コピーを前記アクセスリングで転送し；
前記光信号の前記第２コピーを前記ローカルリングに結合された波長遮断器に転送し；
前記光信号は前記光信号の１以上の波長でブロードキャストトラフィックを構成し；
前記波長遮断器は：
前記第1の光カプラから前記光信号の前記第２コピーを受信し；
前記ローカルリングにブロードキャストされない１以上の波長の第２コピーのトラフィックを終端し；及び
１以上の終端されない波長のトラフィックを前記ローカルリングに転送する；
ことを特徴とする付記１１記載の光ネットワーク。
【００９６】
（付記１４）
前記少なくとも１つのゲートウエーは、前記アクセスリングに結合された第２の光カプラから構成され、前記ローカルリングで受信した前記ローカルトラフィックを前記波長遮断器からの前記第２のカプラで受信した光信号に付加する
ことを特徴とする付記１３記載の光ネットワーク。
【００９７】
（付記１５）
前記波長遮断器が：
前記光信号の前記第２コピーを複数の構成成分波長に分離する光デマルチプレクサ；
複数の光スイッチであって、前記複数の光スイッチは前記第２コピーの構成成分波長を受信し、特定の構成成分波長を選択的に終端するところの複数の光スイッチ；及び
１以上の終端されていない構成成分波長の前記複数の光スイッチによる出力を合成する光マルチプレクサ；
から構成されることを特徴とする付記１３記載の光ネットワーク。
【００９８】
（付記１６）
前記波長遮断器が：
前記光信号の前記第２コピーを光信号の複数のコピーに分割する１以上の入力カプラ；
複数のチューナブルフィルタであって、複数のチューナブルフィルタの各々は複数のコピーの１つを受信し、受信したコピーうち特定の構成成分波長を通し、受信したコピーの他の構成成分波長を終端するところの複数のチューナブルフィルタ；及び
前記チューナブルフィルタによる複数の光信号出力を合成する１以上の出力カプラ；
から構成されることを特徴とする付記１３記載の光ネットワーク。
【００９９】
（付記１７）
前記波長遮断器が、波長選択スイッチから構成される
ことを特徴とする付記１３記載の光ネットワーク。
【０１００】
（付記１８）
前記アクセスリングが第1のファイバ及び第２のファイバから構成され、前記少なくとも１つのゲートウエーが前記第1のファイバ上の光信号を第1の方向に更に送信し；及び前記少なくとも１つのゲートウエーが前記第２のファイバ上の光信号を第２の方向に送信する
ことを特徴とする付記１１記載の光ネットワーク。
【０１０１】
（付記１９）
少なくとも１つのＡＤＮが、ローカルのＡＤＮに結合されたクライアント装置によって送信されたトラフィックを付加し、ローカルのＡＤＮに結合されたクライアント装置へ送信されたトラフィックを落とす
ことを特徴とする付記１１記載の光ネットワーク。
【０１０２】
（付記２０）
少なくとも１つのゲートウエーが、ゲートウエーに結合されたクライアント装置によって送信されたトラフィックを付加し、ゲートウエーに結合されたクライアント装置へ送信されたトラフィックを落とす
ことを特徴とする付記１１記載の光ネットワーク。
【０１０３】
（付記２１）
第1の光カプラより成る光通信装置であって、前記第1の光カプラは：
前記アクセスリングで光信号を受信し；
前記アクセスリングで受信した光信号を前記光信号の第1コピー及び前記光信号の第２コピーに分割し；
前記光信号の前記第1コピーを前記アクセスリングで転送し；
前記光信号の前記第２コピーを波長遮断器に転送し；
前記光信号は複数の波長より成り、複数の波長の各々はトラフィックを伝送可能であり；
前記光信号は前記光信号の１以上の波長でブロードキャストトラフィックを構成し；
前記波長遮断器は：
前記第1の光カプラから前記光信号の前記第２コピーを受信し；
前記ローカルリングにブロードキャストされない１以上の波長の第２コピーのトラフィックを終端し；及び
１以上の終端されない波長のトラフィックを前記ローカルリングに転送する；
ことを特徴とする光通信装置。
【０１０４】
（付記２２）
更に第２の光カプラから構成され、前記第２の光カプラは：
前記ローカルリングで受信した前記ローカルトラフィックを前記波長遮断器から受信した光信号と合成し；及び
合成した光信号を前記アクセスリングで転送する
ことを特徴とする付記２１記載の光通信装置。
【０１０５】
（付記２３）
前記波長遮断器が：
前記光信号の前記第２コピーを複数の構成成分波長に分離する光デマルチプレクサ；
複数の光スイッチであって、前記複数の光スイッチは前記第２コピーの構成成分波長を受信し、特定の構成成分波長を選択的に終端するところの複数の光スイッチ；及び
１以上の終端されていない構成成分波長の前記複数の光スイッチによる出力を合成する光マルチプレクサ；
から構成されることを特徴とする付記２１記載の光通信装置。
【０１０６】
（付記２４）
前記波長遮断器が：
前記光信号の前記第２コピーを光信号の複数のコピーに分割する１以上の入力カプラ；
複数のチューナブルフィルタであって、複数のチューナブルフィルタの各々は複数のコピーの１つを受信し、受信したコピーうち特定の構成成分波長を通し、受信したコピーの他の構成成分波長を終端するところの複数のチューナブルフィルタ；及び
前記チューナブルフィルタによる複数の光信号出力を合成する１以上の出力カプラ；
から構成されることを特徴とする付記２１記載の光通信装置。
【０１０７】
（付記２５）
前記波長遮断器が、波長選択スイッチから構成される
ことを特徴とする付記２１記載の光通信装置。
【０１０８】
（付記２６）
前記アクセスリングで光信号を受信するステップであって、前記光信号は複数の波長より成り、複数の波長の各々はトラフィックを搬送可能であり、ブロードキャストトラフィックは複数の波長の１以上で伝送されるところのステップ；
前記アクセスリングで受信した前記ブロードキャストトラフィックの第1の複製を前記アクセスリングで転送するステップ；
前記アクセスリングで受信した前記ブロードキャストトラフィックの第２の複製を前記ローカルリングで転送し；
前記ローカルリング上の１以上の付加及び除去ノード（ＡＤＮ）から発するローカルトラフィックを受信するステップ；
前記ローカルトラフィックを前記アクセスリングに転送するステップ；
前記ローカルリングに転送されたブロードキャストトラフィックを前記ローカルリングから受信するステップ；及び
前記ローカルリングから受信した前記ブロードキャストトラフィックを終端するステップ；
を有することを特徴とする光通信方法。
【０１０９】
（付記２７）
前記アクセスリングで光信号を受信するステップが、前記アクセスリング上で第1のゲートウエーで光信号を受信するステップより成り、前記ブロードキャストトラフィックを終端するステップが前記ローカルリングから受信したブロードキャストトラフィックを第２ゲートウエーで終端するステップより成る
ことを特徴とする付記２６記載の光通信方法。
【０１１０】
（付記２８）
前記アクセスリングで光信号を受信するステップが、前記アクセスリング上のゲートウエーで光信号を受信するステップより成り、前記ブロードキャストトラフィックを終端するステップが、前記ローカルリングから受信したブロードキャストトラフィックを前記ゲートウエーで終端するステップより成る
ことを特徴とする付記２６記載の光通信方法。
【０１１１】
（付記２９）
ローカルリングで受信したローカルトラフィックを転送するステップが：
前記アクセスリングで受信したローカルトラフィックを前記アクセスリングで受信した前記光信号に付加するステップであって、前記受信した光信号は前記ローカルトラフィックとは異なる波長で伝送されるトラフィックより成るところのステップ；及び
前記ローカルトラフィックを含む前記光信号を前記アクセスリングに転送するステップ；
を有することを特徴とする付記２６記載の光通信方法。
【図面の簡単な説明】
【０１１２】
【図１Ａ】本発明の一実施例による光ネットワークを示すブロック図である。
【図１Ｂ】本発明の位置実施例による図１Ａの光ネットワークにおけるブロードキャスト及びローカルトラフィックの伝搬する様子を示すブロック図である。
【図２Ａ】本発明の一実施例による図１Ａ及び１Ｂのネットワークで使用されるゲートウエーの詳細を示すブロック図である。
【図２Ｂ】図２Ａの一実施例のゲートウエーで使用される波長ブロック装置の詳細を示すブロック図である。
【図２Ｃ】図２Ａの一実施例のゲートウエーで使用される波長ブロック装置の別の例の詳細を示すブロック図である。
【図３】本発明の一実施例による図１Ａ及び１Ｂのネットワークで使用される別のゲートウエーの詳細を示すブロック図である。
【図４】本発明の一実施例による図１Ａ及び１Ｂのネットワークで使用される更に別のゲートウエーの詳細を示すブロック図である。
【図５】図１Ａ及び図１Ｂのネットワークで使用される分岐挿入ノードの一例を示すブロック図である。
【図６】図２Ａ及び３のゲートウエーの一実施例の動作例を示す図である。
【図７】図４のゲートウエーの一実施例の動作例を示す図である。
【図８】図１Ａ及び１Ｂのネットワークで使用される２つのゲートウエーの例の動作例を示すブローチャートである。
【図９】図１Ａ及び１Ｂのネットワークで使用される別のゲートウエーの例の動作例を示すブローチャートである。
【符号の説明】
【０１１３】
１０  光ネットワーク
１２  分岐挿入ノード（ＡＤＮ）
１４  ゲートウエー
２０  アクセスリング
２２  ブロードキャストトラフィックストリーム
３０  ローカルリング
３２  ローカルトラフィックストリーム
５０  伝送要素
５２  ブロードキャストユニット
５４  波長阻止ユニット
６０，６６  カプラ
６４  増幅器
７０  コネクタ
８０  分配／合成要素
８２  ドロップカプラ
８４  合成器
８６  ドロップリード
８８  付加リード
９０  ローカルトラフィックユニット
１００  フィルタ
１０２  受信機
１０４  送信機
１１０  管理要素
１１２  ＯＳＣ受信機
１１４  ＯＳＣインターフェース
１１６  ＯＳＣ送信機
１５０，１５２  ファイバセグメント
１２４  要素管理システム（ＥＭＳ）
１２６  ネットワーク管理システム（ＮＭＳ）
２１０  デマルチプレクサ
２２０  マルチプレクサ
２３０  スイッチ
２３２  制御線
２７０  チューナブルフィルタ
６１０  トラフィック
６２０  第1コピー
６３０  ブロードキャストトラフィックストリーム
６３２  ローカルトラフィックストリーム
７１０  トラフィック
７３０  ブロードキャストトラフィックストリーム
７３２  ローカルトラフィックストリーム
【図１Ａ】
2006148922.tif 000003
【図１Ｂ】
2006148922.tif 000004
【図２Ａ】
2006148922.tif 000005
【図２Ｂ】
2006148922.tif 000006
【図２Ｃ】
2006148922.tif 000007
【図３】
2006148922.tif 000008
【図４】
2006148922.tif 000009
【図５】
2006148922.tif 000010
【図６】
2006148922.tif 000011
【図７】
2006148922.tif 000012
【図８】
2006148922.tif 000013
【図９】
2006148922.tif 000014